(57)【要約】      （修正有）【課題】パーソナルメディアアイテムの自動的なデータベース管理をユーザに提供する。【解決手段】ユーザ１の命令で、そのユーザによるアクセスが可能であり、そのユーザの制御でのみ他のユーザによるアクセスが可能な、オブジェクトを具体化するコンテンツを有するメディアアイテムが、ネットワーク５０を介して１つまたは複数のメディアデータベース２１に記憶される。オブジェクトのうちの１つに関連付けられた査定インジケータは、そのオブジェクトに関するユーザによる認識を表す。査定インジケータが削除基準を満たしている場合、それらのコンテンツ内に存在するそのオブジェクトを有する２つまたはそれ以上のメディアアイテムのうちの少なくとも一部であるメディアアイテムまたは対象となるメディアアイテムにおけるオブジェクトを削除するために、そのオブジェクトに関するオブジェクト削除命令がトリガされる。【選択図】図５
2017151957.tif 000002
【特許請求の範囲】
【請求項１】
少なくとも２つのオブジェクト（２３０）を具体化するそれぞれのメディアコンテンツを有するメディアアイテム（２１０）を管理する方法であって、前記メディアアイテムは、少なくとも１人のユーザ（１）の命令で少なくとも１つのメディアデータベース（２１）に記憶され、前記少なくとも１人のユーザによるアクセスが可能であり、かつ、前記少なくとも１人のユーザの制御でのみ他のユーザによるアクセスが可能であり、
少なくとも１つのプロセッサ（１１、６１、５００、７００、８００）において、ターゲットオブジェクトと呼ばれる前記オブジェクトのうちの少なくとも１つに関連付けられた少なくとも１つの査定インジケータを受信することであって、前記少なくとも１つの査定インジケータは前記少なくとも１つのターゲットオブジェクトに関する前記少なくとも１人のユーザ（１）による認識を表す、前記少なくとも１つの査定インジケータを受信すること、
前記少なくとも１つの査定インジケータが少なくとも１つの削除基準を満たしている場合、少なくとも２つの前記メディアアイテムのコンテンツ内に存在する前記少なくとも１つのターゲットオブジェクトを有し、かつ、ターゲットメディアアイテムと呼ばれる前記少なくとも２つのメディアアイテムのうちの少なくとも一部を削除するために、前記少なくとも１つのプロセッサによって、前記少なくとも１つのターゲットオブジェクトに関するオブジェクト削除命令をトリガすること、
を含むことを特徴とする、方法。
【請求項２】
前記オブジェクト削除命令が、前記ターゲットメディアアイテム（２１０）のうちの少なくとも１つを削除することを含むことを特徴とする、請求項１に記載の方法。
【請求項３】
前記オブジェクト削除命令が、前記少なくとも１つのターゲットオブジェクトに関連付けられた前記少なくとも２つのターゲットメディアアイテム（２１０）のうちの少なくとも１つにおける前記少なくとも１つのターゲットオブジェクト（２３０）を除去することを含むことを特徴とする、請求項１または２に記載の方法。
【請求項４】
前記オブジェクト削除命令が、前記少なくとも１つの除去されたターゲットオブジェクトを、前記少なくとも２つのターゲットメディアアイテムのうちの少なくとも１つにおける別の前記オブジェクトに置き換えることを含むことを特徴とする、請求項３に記載の方法。
【請求項５】
前記オブジェクト削除命令が、前記少なくとも１つの除去されたターゲットオブジェクトを、前記少なくとも２つのターゲットメディアアイテムの中の少なくとも１つの対象となるメディアアイテムにおける置換コンテンツに置き換えることを含み、前記置換コンテンツは、前記少なくとも１つの対象となるメディアアイテムのコンテンツにおける前記少なくとも１つのターゲットオブジェクトを補完する部分から導出されることを特徴とする、請求項３または４に記載の方法。
【請求項６】
前記少なくとも１つの査定インジケータが少なくとも１つのスコア（６７５）を含み、前記少なくとも１つの削除基準は前記少なくとも１つのスコアに対応する少なくとも１つのスコアしきい値（６７６）に依拠することを特徴とする、請求項１から５のいずれか一項に記載の方法。
【請求項７】
前記オブジェクト（２３０）のうちの少なくとも１つに対する前記少なくとも１人のユーザ（１）の監視された生理的反応から、前記少なくとも１つの査定インジケータのうちの少なくとも１つを導出すること、
を含むことを特徴とする、請求項１から６のいずれか一項に記載の方法。
【請求項８】
メディアアイテム（２１０）を管理するためのコンピュータプログラムであって、請求項１から７のいずれか一項に記載の方法の工程を実行するように適合されたソフトウェアコードを備える、コンピュータプログラム。
【請求項９】
少なくとも２つのオブジェクト（２３０）を具体化するそれぞれのメディアコンテンツを有するメディアアイテム（２１０）を管理するためのデバイス（１００、５１、６、７１、８１）であって、前記メディアアイテムは、少なくとも１人のユーザ（１）の命令で少なくとも１つのメディアデータベース（２１）に記憶され、前記少なくとも１人のユーザによるアクセスが可能であり、前記少なくとも１人のユーザの制御でのみ他のユーザによるアクセスが可能であり、
少なくとも１つのプロセッサ（１１、６１、５００、７００、８００）を含み、
前記少なくとも１つのプロセッサ（１１、６１、５００、７００、８００）は、
ターゲットオブジェクトと呼ばれる前記オブジェクトのうちの少なくとも１つに関連付けられた少なくとも１つの査定インジケータを受信するために構成され、前記少なくとも１つの査定インジケータは前記少なくとも１つのターゲットオブジェクトに関する前記少なくとも１人のユーザ（１）による認識を表し、かつ、
前記少なくとも１つの査定インジケータが少なくとも１つの削除基準を満たしている場合、ターゲットメディアアイテムと呼ばれる少なくとも２つの前記メディアアイテムのコンテンツ内に存在する前記少なくとも１つのターゲットオブジェクトを有する前記少なくとも２つのメディアアイテムのうちの少なくとも一部を削除するために、前記少なくとも１つのターゲットオブジェクトに関するオブジェクト削除命令をトリガするために構成されたことを特徴とする、デバイス（１００、５１、６、７１、８１）。
【請求項１０】
前記オブジェクト削除命令が、前記少なくとも２つのターゲットメディアアイテムのうちの少なくとも１つを削除することを含むことを特徴とする、請求項９に記載のデバイス（１００、５１、６、７１、８１）。
【請求項１１】
前記オブジェクト削除命令が、前記少なくとも１つのターゲットオブジェクトに関連付けられた前記少なくとも２つのターゲットメディアアイテムのうちの少なくとも１つにおける前記少なくとも１つのターゲットオブジェクトを除去することを含むことを特徴とする、請求項９または１０に記載のデバイス（１００、５１、６、７１、８１）。
【請求項１２】
前記オブジェクト削除命令が、前記少なくとも１つの除去されたターゲットオブジェクトを、前記少なくとも２つのターゲットメディアアイテムのうちの少なくとも１つにおける別の前記オブジェクトに置き換えることを含むことを特徴とする、請求項１１に記載のデバイス（１００、５１、６、７１、８１）。
【請求項１３】
前記オブジェクト削除命令が、前記少なくとも１つの除去されたターゲットオブジェクトを、前記少なくとも２つのターゲットメディアアイテムの中の少なくとも１つの対象となるメディアアイテムにおける置換コンテンツに置き換えることを含み、前記置換コンテンツは、前記少なくとも１つの対象となるメディアアイテムのコンテンツにおける前記少なくとも１つのターゲットオブジェクトを補完する部分から導出されることを特徴とする、請求項１１または１２に記載のデバイス（１００、５１、６、７１、８１）。
【請求項１４】
前記少なくとも１つの査定インジケータが少なくとも１つのスコア（６７５）を含み、前記少なくとも１つの削除基準は前記少なくとも１つのスコアに対応する少なくとも１つのスコアしきい値（６７６）に依拠することを特徴とする、請求項９から１３のいずれか一項に記載のデバイス（１００、５１、６、７１、８１）。
【請求項１５】
前記少なくとも１つのプロセッサが、
前記オブジェクト（２３０）のうちの少なくとも１つに対する前記少なくとも１人のユーザ（１）の監視された生理的反応から、前記少なくとも１つの査定インジケータのうちの少なくとも１つを導出する
ようにさらに構成されることを特徴とする、請求項９から１４のいずれか一項に記載のデバイス（１００、５１、６、７１、８１）。
【発明の詳細な説明】
【技術分野】
【０００１】
本発明は、パーソナルメディア管理の領域に関し、より具体的には関連するストレージ管理に関する。
【背景技術】
【０００２】
技術の進化により、大量のパーソナルデータを時間の経過につれて記録することが、自宅または共有ストレージスペースのいずれに記憶されるかにかかわらず可能となった。後者には、ソーシャルネットワークによって、またはクラウドコンピューティングと共に実施されるような、著しく大規模なネットワークストレージサーバが含まれる。
【０００３】
こうした可能性は、特に、個人の記憶をピクチャ、映像、音楽、あるいは任意の他のビデオ、オーディオ、またはオーディオ／ビジュアルサポートの形で保持するために活用される。実際に、人々の多くはかなりの量の自分のライフイベントを記録しておく傾向があり、これが、ウェアラブルなモニタおよびコンピュータによって自分の生活の多くの部分を取り込む際に用いる「ライフロギング」に発展する可能性がある。
【０００４】
結果として、長年にわたって集められる驚くほど大量になっていくパーソナルデータが複数のデータベースに記憶され、様々なネットワーク、とりわけインターネットを介してアクセス可能である。これに伴い、ストレージのリソースおよび処理の必要性が大幅に高まっている。
【０００５】
Ｅａｓｔｍａｎ  Ｋｏｄａｋ  Ｃｏｍｐ．（発明者T.Matraszek等）に対する米国特許出願公開第２００３／０１１７６５１号明細書では、イメージに対するユーザの感情的反応に関する情緒的情報に基づいて、アルバム内のイメージを分類するための方法が提案されている。この点において、こうした情緒的情報は手動で入力されるか、または異なる時間周期で自動的に収集される。この収集は、所与のイメージのユーザの活用法、たとえば印刷または電子メール送付の回数に依拠するか、あるいは、そのイメージに対するユーザの生理的反応、たとえば顔の表情、身体のジェスチャ、眼の動きなどに依拠することができる。
【０００６】
この文献で展開されるソリューションは、記憶された個人イメージの管理に役立つことは証明できるが、大量の記録データの問題は解決していない。そればかりか、個別化された情緒的情報に対応する付加的な記録層が追加される。また効率を良くするために、すべてのイメージに対するユーザの反応の評価を定期的に更新する必要があり、これはユーザのシステムならびに時間の経過につれて移動する帯域幅に対して要求される。
【０００７】
Ｓａｍｓｕｎｇ  Ｅｌｅｃｔｒｏｎｉｃｓ  Ｃｏ．（発明者D.Cheng）に対する米国特許出願公開第２０１３／００３８７５６号明細書では、ピクチャ、ビデオ、または音声記録などの「ファセット」と呼ばれる取り込んだコンテンツのグループ分けを作成するための方法が提案されている。「ストーリー」と呼ばれる組織構造を伴うこうしたグループ分けは、ファセットに向けられるユーザの感情または所感に基づいて自動的に構成することができる。こうした感情／所感は、たとえば生理的センサまたは関係するユーザの動作または状況からファセットを取り込んでいる間に、センサデータから追跡して記録することができる。またファセットは、探索および検索を容易にするために、たとえばバーコードのスキャンから、またはイメージ認識を介してオブジェクト識別を取得することによって、物理オブジェクトに付随し得る。
【０００８】
この文献で開示されたソリューションは、メディアアイテムに基づいて効率的なストーリー構築を可能にするが、大量のメディアデータにとって重要であり得る追加のストレージを含む。ストーリーを編集した後、文書で任意選択により提案されているように元のファセットを自動的に廃棄することによって大幅なメモリゲインが提供されるが、元のメディアデータの損失という犠牲が払われる。また、経時的なユーザの所感の進化には対処しない。
【０００９】
全体として、当業者には、関係するストレージサイズが制御されずに増加するのを回避しながら、不利なデータ損失を生じさせることなく、時間の経過につれて大量のパーソナルメディアアイテムを自動的に管理するための効率的かつ信頼できるソリューションがない。
【発明の概要】
【００１０】
本開示の目的は、パーソナルメディアアイテムの自動的なデータベース管理をユーザに提供するための潜在的に効率的なソリューションを提供することによって、従来技術の欠点を克服することである。
【００１１】
本開示の目的はとりわけ、例示的実施形態において、ユーザが大切な記憶を失うリスク（もしあれば）を低減させながら、記録されたパーソナルメディアアイテムがたとえ大量であっても、時間の経過につれてストレージスペース要件を大幅に減少させることが可能なソリューションである。
【００１２】
複数ユーザを含む集合的な規模で、本開示のソリューションは、場合によっては、とりわけインターネットなどのネットワークを介してアクセス可能なパーソナルメディアアイテムの非常に効率的なグローバルストレージ管理を提供することができ、ストレージリソースのニーズを大幅に低減させることを可能にしている。
【００１３】
この点において、本開示は、少なくとも２つのオブジェクトを具体化するそれぞれのメディアコンテンツを有するメディアアイテムを管理する方法に関し、それらのメディアアイテムは、少なくとも１人のユーザの命令で１つまたは複数のメディアデータベースに記憶され、その／それらのユーザによるアクセスが可能であり、その／それらのユーザの制御でのみ他のユーザによるアクセスが可能である。
【００１４】
本開示によれば、方法は、
−  少なくとも１つのプロセッサにおいて、ターゲットオブジェクトと呼ばれるオブジェクトのうちの１つまたは複数に関連付けられた１つまたは複数の査定インジケータを受信することであって、その／それらの査定インジケータはターゲットオブジェクトに関するユーザによる認識を表す、前記１つまたは複数の査定インジケータを受信すること、
−  査定インジケータが１つまたは複数の削除基準を満たしている場合、それらのメディアアイテムのコンテンツ内に存在するその／それらのターゲットオブジェクトを有し、かつ、ターゲットメディアアイテムと呼ばれる２つ以上のメディアアイテムのうちの少なくとも一部を削除するために、プロセッサによって、その／それらのターゲットオブジェクトに関するオブジェクト削除命令をトリガすること、
を含む。
【００１５】
既知のソリューションに比べて、本開示の方法は、メディアアイテム内に存在する所与のオブジェクトに対する著しい感覚または感情などのユーザの認識に基づく、メディアアイテムにわたる相互削除に依拠することができる。
【００１６】
これにより、ユーザによる大幅な関与なしに、潜在的に時間の経過につれて規則的に更新される、非常に効率的なグローバルデータベース管理を提供することができる。また、これにより、たとえばソーシャルネットワークなどのネットワーク共有データベースにおいて、ユーザにとって本当に重要な記憶を危うくすることなく、場合によっては大規模なストレージの節約をもたらすことができる。
【００１７】
実際に、多数の保持された個人の記憶が時間の経過につれて無関係であることを証明していることは明らかである。これは様々な理由によるが、とりわけ、たとえば人々、ペット、場所、または音楽に付随する情緒的重要性の変化によるものであり得る。これは、離婚または死などの辛い出来事によっても生じる可能性がある。したがって例示的実装において、メディアカタログは、関係状況の変化をユーザが公式に記述する必要なしに、カタログのサイズに関係なく、ユーザの進化する関係に関してストレージの必要性を容易に維持および制限することができる。
【００１８】
結果として生じる開示された方法のさらなる潜在的利点は、たとえば、ユーザが元のボーイフレンドまたはガールフレンドと写っている望ましくない写真が原因であるか、あるいはソーシャルネットワークプロフィール上で、もはや望まない方法でユーザを所与のブランドに関連付ける文書が原因である、厄介または悲惨な状況を回避できることである。
【００１９】
特定の実装において、方法は、
−  通信ネットワークを介して削除命令をサーバに送信すること、および／または、
−  少なくとも１つのメディアエディタによって、１つまたは複数のターゲットメディアアイテムのうちの少なくとも一部を削除すること、
を含む。
【００２０】
第１の実行モードにおいて、オブジェクト削除命令は、ターゲットメディアアイテムのうちの少なくとも１つを削除することを含む。
【００２１】
場合によっては第１の実行モードと組み合わされる第２の実行モードにおいて、オブジェクト削除命令は、その／それらのターゲットオブジェクトに関連付けられたターゲットメディアアイテムのうちの少なくとも１つにおけるターゲットオブジェクトを除去することを含む。
【００２２】
その第２のモードにおいて、以下の実装のうちの少なくとも１つが有利に適用される。
−  オブジェクト削除命令は、除去されたターゲットオブジェクトを、ターゲットメディアアイテムのうちの少なくとも１つにおける別のオブジェクトに置き換えることを含む。
−  オブジェクト削除命令は、除去されたターゲットオブジェクトを、ターゲットメディアアイテムの中の少なくとも１つの対象とするメディアアイテムにおける置換コンテンツに置き換えることを含み、その置換コンテンツは、その／それらの対象とするメディアアイテムのコンテンツにおけるターゲットオブジェクトを補完する部分から導出される。
【００２３】
好ましくは、査定インジケータは１つまたは複数のスコアを含み、１つまたは複数の削除基準はその／それらのスコアに対応する少なくとも１つのスコアしきい値に依拠する。
【００２４】
有利な実装において、方法は、
−  オブジェクトのうちの少なくとも１つに対するユーザの監視された生理的反応から、査定インジケータのうちの少なくとも１つを導出すること、
を含む。
【００２５】
加えて、本開示は、メディアアイテムを管理するためのコンピュータプログラムに関し、そのコンピュータプログラムは、本開示に従ってメディアアイテムを管理する方法の工程を実行するように適合されたソフトウェアコードを備える。
【００２６】
本開示は、本開示に準拠するメディアアイテムを管理する方法を実行するために、コンピュータによって実行可能な命令のプログラムを有形に具体化する、コンピュータによる読み取りが可能な非一時的プログラムストレージデバイスにさらに関連している。
【００２７】
こうした非一時プログラムストレージデバイスは、限定はしないが、電子、磁気、光、電磁、赤外線、または半導体のデバイス、あるいはそれらの任意の好適な組み合わせとすることができる。より特定な例として、ポータブルコンピュータディスケット、ハードディスク、ＲＯＭ（読み取り専用メモリ）、ＥＰＲＯＭ（消去可能プログラマブルROM）またはフラッシュメモリ、ポータブルＣＤ−ＲＯＭ（コンパクトディスクROM）を提供するが、当業者であれば容易に理解されるように、これらは単に例示的であり、網羅的な列挙ではないことを理解されよう。
【００２８】
本開示の別の目的は、少なくとも２つのオブジェクトを具体化するそれぞれのメディアコンテンツを有するメディアアイテムを管理するためのデバイスであり、それらのメディアアイテムは、１人または複数のユーザの命令で１つまたは複数のメディアデータベースに記憶され、その／それらのユーザによるアクセスが可能であり、その／それらのユーザの制御でのみ他のユーザによるアクセスが可能である。
【００２９】
特定の実装において、デバイスは、
−  通信ネットワークを介して削除命令をサーバに送信するために構成された、少なくとも１つのネットワーク送信器、および／または、
−  １つまたは複数のターゲットメディアアイテムのうちの少なくとも一部を削除するために構成された、少なくとも１つのメディアエディタ、
を含む。
【００３０】
本開示によれば、デバイスは、
−  ターゲットオブジェクトと呼ばれるオブジェクトのうちの少なくとも１つに関連付けられた少なくとも１つの査定インジケータを受信し、その／それらの査定インジケータは、その／それらのターゲットオブジェクトに関するユーザによる認識を表し、
−  査定インジケータが少なくとも１つの削除基準を満たしている場合、ターゲットメディアアイテムと呼ばれる少なくとも２つのメディアアイテムのコンテンツ内に存在するその／それらのターゲットオブジェクトを有するそれらのメディアアイテムのうちの少なくとも一部を削除するために、その／それらのターゲットオブジェクトに関するオブジェクト削除命令をトリガする
ように構成された、少なくとも１つのプロセッサを含む。
【００３１】
第１の実施形態において、オブジェクト削除命令は、ターゲットメディアアイテムのうちの少なくとも１つを削除することを含む。
【００３２】
場合によっては第１の実施形態と組み合わされる第２の実施形態において、オブジェクト削除命令は、その／それらのターゲットオブジェクトに関連付けられたターゲットメディアアイテムのうちの少なくとも１つにおけるターゲットオブジェクトを除去することを含む。
【００３３】
その第２の実施形態において、以下の実装のうちの少なくとも１つがその後有利に適用される。
−  オブジェクト削除命令は、除去されたターゲットオブジェクトを、ターゲットメディアアイテムのうちの少なくとも１つにおける別のオブジェクトに置き換えることを含む。
−  オブジェクト削除命令は、除去されたターゲットオブジェクトを、ターゲットメディアアイテムの中の少なくとも１つの対象とするメディアアイテムにおける置換コンテンツに置き換えることを含み、その置換コンテンツは、その／それらの対象とするメディアアイテムのコンテンツにおけるターゲットオブジェクトを補完する部分から導出される。
【００３４】
好ましくは、査定インジケータは１つまたは複数のスコアを含み、１つまたは複数の削除基準はその／それらのスコアに対応する少なくとも１つのスコアしきい値に依拠する。
【００３５】
有利な実装において、プロセッサは、
−  オブジェクトのうちの１つまたは複数に対するユーザの監視された生理的反応から、査定インジケータのうちの少なくとも１つを導出するために、
さらに構成される。
【００３６】
本開示は、特定的であり非限定的な例示の実施形態の以下の説明を読めばより良く理解され、他の特定の特徴および利点が明らかとなり、この説明は添付の図面を参照しながら行われる。
【図面の簡単な説明】
【００３７】
【図１】メディアアイテムを管理するためのシステムを概略的に表し、システムは本開示に準拠したデバイスを備える、ブロック図である。
【図２】メディアアイテムとそれらのコンテンツ内に具体化されたオブジェクトとの間の関連付けを表し、それらのメディアアイテムは図１のシステムを用いて管理される、図である。
【図３】図２のメディアアイテムを管理する際に図１のシステムによって実行される工程を示すフローチャートである。
【図４】図２のオブジェクトのうちの１つに関するユーザによる認識を評価する際に実行される、図３の工程のうちの１つを詳細に示すフローチャートである。
【図５】パーソナルデバイスにおけるパーソナルメディアアイテムの部分的なローカル管理と、それらのメディアアイテムのリモートストレージ管理とに依拠する、図１のシステムの特定の実施形態を概略的に表す図である。
【図６】図５に表されたデバイスを備える特定の処理装置を図式的に示す図である。
【図７】パーソナルデバイスにおけるパーソナルメディアアイテムの限定的なローカル管理と、それらのメディアアイテムの主なリモート管理とに依拠する、図１のシステムの別の特定の実施形態を概略的に表す図である。
【図８】パーソナルメディアアイテムの完全なローカル管理に依拠する、図１のシステムのさらなる特定の実施形態を概略的に表す図である。
【発明を実施するための形態】
【００３８】
図では、同様のエンティティを識別するために、異なる実施形態において同じ参照番号が使用されている。
【００３９】
本開示は、図１に機能的に示されるように、メディアアイテムを管理するためのシステム１０の特定の機能的な実施形態を参照しながら説明される。
【００４０】
システム１０は、１つまたはいくつかのデータベース２１内へのメディアアイテムの記録が１人または数人のユーザ１によって制御されるという点で、「パーソナル（個人）」のメディアアイテムの管理に適合するように提供されている。すなわち、それらのメディアアイテムは、
−  ユーザ１の命令でデータベース２１に記憶され、
−  ユーザ１によるアクセスが可能であり、
−  ユーザ１の制御でのみ、ユーザ１以外の他のユーザによるアクセスが可能である。
【００４１】
「アクセス」という用語は、読み取り、書き込み、および編集の動作を言い表し、こうしたアクセスは、場合によっては直接、またはオペレータを介して間接的である。「ユーザ」という用語は、データベース管理機能の枠内で動作する人々とは別に、データベース２１のコンテンツへのアクセスに潜在的に何らかの個人的関心を有する、任意の人物を意味する。この点で、この用語は、たとえば技術的なチェックまたは修理、メディア配置構成、あるいは集合的なストレージ処理のために介在する、オペレータをカバーするものではない。
【００４２】
制御ユーザ１以外の他のユーザによる制約されたアクセスに関する機構は、他のユーザが制御ユーザのパーソナルメディアアイテムにアクセスできるかどうか、他のユーザの中で誰がアクセスできるか、およびその範囲を、制御ユーザ１が完全に決定することを表す。たとえばメディアアイテムがローカルに記憶され、ユーザ１が他の誰ともアクセスを共有する意図がない場合、他のユーザの誰も特に許可されない。これに対して、ユーザ１は、たとえばソーシャルネットワーク内の、たとえば所与の友人サークルである、場合によってはターゲットとされている他のユーザなどの、他のユーザに、広い共有読み取りアクセス権を与えることができる。こうしたアクセス許可は、場合によっては任意の時間期間にわたって与えること、およびユーザ１の所望に応じて無効にすることができる。
【００４３】
いずれにイベントにおいても、ユーザ１は経時的に他のユーザによるアクセスに対する制御を維持する。
【００４４】
下記において、システム１０は、所与のメディアアイテムについて固有のユーザ１と関係しているものと説明される。しかしながら、所与のセットのメディアアイテムを制御している数人のユーザは、代替として、たとえば家族の一員、友人のグループ、または会社社員であるものと見なすことができる。システム１０が、混合された個人入力の考慮の対象である、該当する人物のグループを形成する個々の人々と接続されているため、「パーソナル（個人）」という用語は依然として関連がある。
【００４５】
メディアアイテムは、特に写真、ビデオ、イメージレンダリング（たとえば、３Ｄモデル）、オーディオレコーディング、メッセージ、テキスト、たとえば温度や臭いなどの環境データの記録、３Ｄ構造、またはそれらの任意の組み合わせを含む、個人情報または記憶の保管のための任意のアイテムとすることができる。
【００４６】
システム１０は、以下で例示するように、ローカルまたはリモートの装置においてまとめて、または別々に、様々な方法で実装可能な、いくつかの機能ブロックまたはモジュールを備える。
【００４７】
それらのモジュールは、材料、物理的に異なるコンポーネントではなく、むしろ機能エンティティとして理解される。したがってそれらは、同じ有形かつ具体的なコンポーネント内にまとめてグループ化されるか、またはいくつかのこうしたコンポーネントに分散されるものとして、具体化することができる。また、そうしたモジュールの各々自体が、場合によっては少なくとも２つの物理コンポーネント間で共有される。加えて、モジュールは、ハードウェア、ソフトウェア、ファームウェア、またはそれらの任意の混合形でも実装される。それらは好ましくは少なくとも１つのプロセッサ内で具体化される。
【００４８】
同様に、システム１０は、ローカルまたはリモートに記憶することが可能であり、物理的に異なるストレージの場所またはデバイス内にそれぞれ分散すること、同じストレージの場所またはデバイス内で任意の方法で組み合わせること、あるいは、２つまたはそれ以上のストレージの場所またはデバイス内に分散されるいくつかの部分でそれら自体を共有することが可能な、いくつかのデータベースを備える。
【００４９】
ローカルには、そうしたストレージデバイスは、特に、たとえばＲＡＭ（ランダムアクセスメモリ）、ＲＯＭまたはＥＥＰＲＯＭ（電気的消去可能プログラマブルＲＯＭ）容量などの、内部メモリリソースを含むことができる。それらは代替として、たとえばフラッシュメモリ、ＳＳＤ（ソリッドステートドライブ）、ＣＤ（コンパクトディスケット）、たとえばＤＶＤ（デジタル多用途ディスク）などの光ディスク、またはＨＤＤ（ハードディスクドライブ）を含むことができる。ストレージは、内部リソースと外部リソースを組み合わせることもできる。
【００５０】
リモートには、ストレージデバイスは特に、オンラインまたはニアラインストレージ、クラウドストレージ、あるいは、ネットワーク接続ストレージを含む任意の種類の第３の大容量ストレージの形を取ることができる。
【００５１】
特に、メディアデータベース２１は、たとえばユーザのパーソナルコンピュータ上のローカルフォトカタログ、クラウドベースのフォトリポジトリ、またはソーシャルネットワーク内で保持されるクラウドベースのストレージとすることができる。
【００５２】
ユーザ１はとりわけ、特にデータベース２２内で使用可能なメディア管理データを用いて、データベース２１内のユーザのパーソナルメディアアイテムのストレージ管理を可能にするために構成された、ストレージマネージャモジュール１１と対話している。
【００５３】
「構成される」および「適合される」という用語は、本開示では、ハードウェアまたはソフトウェア（ファームウェアを含む）を介して有効化される、広義に初期の構成、後の適合または相補、あるいはそれらの任意の組み合わせとして使用される。
【００５４】
システム１０は、記憶されたメディアアイテムのコンテンツ内で具体化される２つまたはそれ以上の「オブジェクト」にアクセスするために構成された、オブジェクト評価モジュール１５も備える。こうしたオブジェクトは、別個のメディアアイテム内でのその識別を可能にする任意のエンティティとすることができる。これは特に、視覚、聴覚、嗅覚、または構造的形状特徴、あるいはそれらの任意の組み合わせを介して、メディアコンテンツ内で実体化することができる。またこれは、たとえば人物、ペットなどの動物、場所、曲、天候または照明関係などの環境条件、香り、材料、スローガン、名前、質感または形状、場所、あるいはそれらの任意の組み合わせに対応することができる。
【００５５】
所与のオブジェクトは任意数のメディアアイテム内に存在可能であるが、所与のメディアアイテムは１つまたは複数のオブジェクトに対応するか、または一切対応しないことが可能であることが明らかとなろう。
【００５６】
便宜上および簡潔さのために、「オブジェクト」という用語は、オブジェクトが指しているもの（たとえば人）の抽象的な意味、および、メディアコンテンツの一部としての形を取るその抽象的なもののメディア実体化の、両方を指す。
【００５７】
オブジェクトに関するデータはデータベース２３に記憶されるが、データベース２１のメディアアイテムとデータベース２３のオブジェクトとの間の関連付けは、データベース２４に記憶される。図２を見ればわかるように、それらの関連付け２４０は、メディアアイテム２１０とオブジェクト２３０との間のリンクを確立する。関連付け２４０は、任意の形、特に、オブジェクト２３０からメディアアイテム２１０へのポインタ、メディアアイテム２１０からオブジェクト２３０へのポインタ、１つまたは複数の専用ルックアップテーブル、あるいはメディアアイテム２１０またはオブジェクト２３０に付属されたメタデータ（特に識別子など）の形で維持可能である。前述のように、データベース２１、２３、および２４は必ずしも別々ではなく、特定の実装に適した任意の方法で組み合わせることができる。
【００５８】
オブジェクト評価モジュール１５は、メディアアイテム２１０とオブジェクト２３０との間の関連付け２４０を確立する。有利な実装において、これは、たとえば、ある人物の存在を検出するように適合された顔認識アルゴリズム、またはある曲の存在を検出するように適合された音響比較を介して、メディアアイテム２１内でのそれら自体の自動オブジェクト認識と共に進行するように構成される。
【００５９】
他の有利な実装において、これは、たとえば、環境照明または天候条件、臭い、あるいは位置（特に、GPS、すなわち全地球測位システム、またはガリレオなどの、ナビゲーションシステムを用いて取得可能）を集めるために使用されるセンサを介して、メディアの取り込みと同時に取得されるデータを活用するように構成される。環境条件、臭い、および位置は、それぞれ対象となるオブジェクトのうちの少なくともいくつかを構成している。
【００６０】
さらに他の実装において、関連付けは、好ましくはユーザ１である、人物によって（手動で、または音声認識によって）入力される。その手法は人の介入が必要であるが、計算または感知の必要性を減少させる。
【００６１】
特定のモードにおいて、オブジェクト評価モジュール１５は、新しいオブジェクト２３０を自動的に発見するように適合され、このオブジェクトはその後、オブジェクトデータベース２３に追加される。別のモードにおいて、ユーザ１は新しいオブジェクト２３０を直接入力している。
【００６２】
特定の実施形態において、オブジェクト評価モジュール１５は、メディアアイテムが取り込まれるとすぐに、関連付け２４０を決定し記録している。他の実施形態において、後に関連付け２４０は、規則正しく、たとえば定期的に、または必要な時にのみ、特に、以下で展開されるような本開示の削除工程を実行する際に、決定される。
【００６３】
オブジェクト評価モジュール１５の上記の様々な実装は、任意の方法で組み合わせることができる。
【００６４】
システム１０は、ユーザ１によるアクションまたは反応を監視するために構成された、１つまたは複数のモニタ１０１（図１を参照）も備える。有利な実施形態において、それらのモニタ１０１は、たとえば電子メール、ソーシャルネットワークの投稿、またはインターネットサイトとのオンライン対話などの、ユーザ１からの電子トランザクションまたはメッセージを分析するように適合された、１つまたは複数の処理ユニット（すなわちモジュールまたはプロセッサ）を含む。それらの処理ユニットは、たとえば、メッセージ内の専門用語の識別、または解析から導出される特定の構文構造に基づくことが可能な、ユーザ１の関係する所感または感情を評価するために構成される。
【００６５】
他の実施形態において、モニタ１０１は、取得された情報を確認する際に以前のものと有利に組み合わされる、好ましくはウェアラブルデバイス内に具体化された１つまたは複数の生理的センサを含む。こうしたセンサは、ユーザ１と接触可能であり、たとえば、消費者市場で入手可能な脳とコンピュータとのインターフェースに依拠し得る、人の頭皮に装着されるＥＥＧセンサ（脳波記録用）を含む。それらはさらに、または代わりに、ＥＭＧ（筋電図検査用）、ＥＫＧ（心電図記録用）、および／またはＧＳＲ（電気皮膚反応用）の装置、および／または慣性センサを含むことができる。
【００６６】
他の実装において、センサはユーザ１と直接接触せず、たとえば、瞳の直径の変化を確認するための十分な機能を備えた、ユーザの瞳を監視するイメージセンサを含むことができる。他の可能な実装は、ユーザの姿勢を監視するビデオカメラを含む。センサ内でリモートデバイスおよび接触デバイスの両方を併せて使用することも可能である。
【００６７】
加えて、１つまたは複数の検出器１０２が、ユーザ１のアクションまたは反応に対応するオブジェクト関係要因の監視を担当している。検出器１０２の性質は、対象となるオブジェクト２３０の性質に完全に依存しており、それらのオブジェクト２３０を識別するためのものである。たとえば、対象となるオブジェクトが人の場合、検出器１０２は声検出または顔認識システム（人の物理的存在、ビデオ会議、電話呼び出しなど）、あるいは電子メールアドレスを抽出する処理ユニット（電子通信）を含むことができる。
【００６８】
読者には明らかなように、オブジェクト評価モジュール１５、モニタ１０１、および／または検出器１０２は、実際には、１つまたは複数の同じ装置内で少なくとも部分的に組み合わせるかまたは具体化することができる。
【００６９】
システム１０は、アクティビティ監視からユーザ１の所感または感情を評価するため、および、ユーザ１と対象となるオブジェクト２３０との間の関係に関する情報を確認するために構成された、関係マネージャモジュール１２をさらに備える。
【００７０】
アクティビティ監視は、たとえば、手のジェスチャ、凝視、不愛想な会話のトーン、ソーシャルネットワークの投稿などを介して、人物間の対話を監視することを含むことができる。
【００７１】
特に、マネージャモジュール１２は、モニタ１０１を用いて取得される生体データから、ユーザ１の感覚を評価するために構成される。関係する技術が当業者に知られており、たとえば２０１４年１２月８日付けのＧｏｇｉａおよびＬｉｕ、ＭＩＴに対する「Ｍｏｔｉｏｎ  Ｍａｇｎｉｆｉｃａｔｉｏｎ  ｏｆ  Ｆａｃｉａｌ  Ｍｉｃｒｏ−ｅｘｐｒｅｓｓｉｏｎｓ」の論文（http://runpeng.mit.edu/projects/microexpression.pdf）、ならびに、２０１１年６月９日付けのＳ．Ｋｏｅｌｓｔｒａ等に対する「ＤＥＡＰ：Ａ  Ｄａｔａｂａｓｅ  ｆｏｒ  Ｅｍｏｔｉｏｎ  Ａｎａｌｙｓｉｓ  ｕｓｉｎｇ  Ｐｈｙｓｉｏｌｏｇｉｃａｌ  Ｓｉｇｎａｌｓ」、Ａｆｆｅｃｔｉｖｅ  Ｃｏｍｐｕｔｉｎｇ、ＩＥＥＥ  Ｔｒａｎｓａｃｔｉｏｎｓ  ｏｎ  Ｖｏｌ．  ３、Ｉｓｓｕｅ  １に開示されている。
【００７２】
たとえばアクティビティ監視は、以下をカバーすることができる。
−  スマートウォッチの慣性センサを介して検出される握手、
−  顔認識、凝視データ、および音響分析の組み合わせを介して検出されるような、友好的な会話、
−  人の顔のジェスチャの分析を介して検出されるような、不賛成、
−  環境／場所センサおよびソーシャルネットワークの投稿の分析によって検出されるような、ある天候条件または場所に関する毛嫌い。
【００７３】
モジュール１２は、対象となるオブジェクト２３０に関して検出器１０２からの入力を処理するように、および、そこからオブジェクト２３０とユーザの感覚との間の適切な関係を誘導するように、さらに適合される。
【００７４】
取得された関係は、対象となるオブジェクト２３０に関するユーザ１による認識を評価する、査定評価者モジュール１３によって活用される。その認識は、たとえば、ユーザ１の他の人物との社会的関係状況に相当するものとすることができる。
【００７５】
その認識はその後、場合によっては、メディアデータベース２１に含まれ、対象となるオブジェクト２３０に関連付けられた、メディアアイテム２１０に関して、エディションマネージャ１４によって制御され、メディアエディタ１６によって実行される、エディションアクションにつながることが可能である。それらのエディションアクションは、活動化された場合、以下で詳細に説明するように、決定されたメディアアイテム２１０のすべてまたは一部を削除することを含む。
【００７６】
好ましくは、関係マネージャ１２は、トレーニング段階のために構成され、その間、モニタ１０１および検出器１０２によって提供されるデータは、たとえば質問票に応答して、ユーザの感情および／または関係オブジェクトに関して手動で入力されるデータと相関される。
【００７７】
感情評価、オブジェクト識別、査定評価、および関係アクションの決定を含む、以前の工程で活用されたデータは、適宜、データベース２２および２３に記憶される。
【００７８】
図３に示されるように、システム１０の特定の実施形態によって実行される動作は、主に、新しいメディアの獲得に関するアップストリーム段階３と、記録されたメディアアイテム２１０の現行処理に関するダウンストリーム段階４とを含む。
【００７９】
アップストリーム段階３は、実際のところ、記録されたメディアの処理中、およびその後を含み、好ましくは時間の経過につれて反復されることに留意されたい。したがって、「アップストリーム」および「ダウンストリーム」という用語は、ここでは単に、所与の時点で記録された特定のメディアアイテム２１０の処理を指す。すなわち段階４は、その後のさらなるおよび／または完全なメディア取り込みに関して、それ自体がアップストリームである。
【００８０】
メディア獲得段階３は、
−  ステップ３１で、１つまたは複数のメディアアイテム２１０を取り込むこと、
−  ステップ３２で、オブジェクト評価モジュール１５によって１つまたは複数の関係オブジェクト２３０を評価すること、
−  ステップ３３で、対象となるメディアアイテム２１０とオブジェクト２３０との間の１つまたは複数の関連付け２４０を、オブジェクト評価モジュール１５によって関連付けデータベース２４に記録すること、
を含む。
【００８１】
メディア処理ステージ４は、
−  ステップ４１で、モニタ１０１、検出器１０２、および関係マネージャ１２によって、ユーザ１と１つまたは複数のオブジェクト２３０との間の関係を監視すること、
−  ステップ４２で、査定評価者１３によって、対象となるオブジェクト２３０に関するユーザ１による認識を評価すること、
−  ステップ４３で、エディションマネージャ１４によって、対象となるオブジェクト２３０に関連付けられたメディアアイテム２１０に関する適切なエディション管理決定を行うこと、
−  ステップ４４で、メディアエディタ１６によって、メディアデータベース２１内の対象となるメディアアイテム２１０を編集すること、
を含む。
【００８２】
次に、査定評価ステップ４２での査定評価者１３によるアクティビティについて、図４に関係する特定の実行モードで詳細に説明する。
【００８３】
以下において、「アクティビティデータ」は、所感または感情に関して関係マネージャ１２によって示されるユーザのアクションまたは反応を指し、「アクティビティ署名」は、データベース２２に記憶された関係参照データを指す。アクティビティデータとアクティビティ署名との比較によって、所与のオブジェクト２３０に対するユーザ１の肯定的または否定的な認識の有意な表情を識別することができる。
【００８４】
こうしたアクティビティ署名は、たとえば識別される握手または好意的な会話（肯定的な認識）、あるいは不賛成を示す非難的な一別または声や文書によるコメント（否定的な認識）とすることができる。
【００８５】
また、関係スコアが、各オブジェクト２３０について、そのオブジェクト２３０に関するユーザの認識との関係で管理され、オブジェクトデータベース２３に記録される。
【００８６】
ユーザ１による査定を評価する際に、
−  ステップ４２１で、アクティビティデータがアクティビティ署名と比較される。
−  ステップ４２２で、アクティビティデータとアクティビティ署名との間に合致が確認された場合、ステップ４２３で、対象となるオブジェクト２３０についての関係スコアに対するその合致の効果が評価され、認められない場合、システム１０は利用可能であれば別の比較に戻り、いくつかの比較を並行して処理することも可能である。
−  ステップ４２２で合致が確認され、ステップ４２３で効果が評価された場合、その効果はステップ４２４で、対象となるオブジェクト２３０に対応する関係スコアを更新するために活用され、たとえば握手は、対応するオブジェクト２３０の関係スコアを１だけ増加させる。
−  ステップ４２５で、更新された関係スコアは、対象となるオブジェクト２３０に関連付けられた、またはオブジェクトのセットに関連付けられた、関係しきい値と比較される（このしきい値は、場合によってはすべてのオブジェクト２３０について同じである）。
−  ステップ４２６で、しきい値を超える場合、ステップ４３（図３を参照）で適切なエディション命令がトリガされ、超えない場合、システム１０は利用可能であれば別の比較に戻り、たとえば、所定のしきい値関係スコアおよび関連付けられたアクションのセットを含むルックアップテーブルの形で、データベース２２に記録された記録セットから、適切な命令が導出される。
【００８７】
代替の実装において、関係スコアの代わりに別のインジケータが使用される。特別なケースでは、そのインジケータは単に、「すべてかゼロか」を表す２進値とする。
【００８８】
好ましくは、ユーザ１がパーソナルメディアアイテム２１０の管理に対する制御を維持するように、ユーザ１に決定のための任意の削除がもたらされる。
【００８９】
以下で、削除命令についてより詳細に説明する。特定の実装において、削除命令は、対象となるオブジェクト２３０に関連付けられたメディアアイテム２１０全体に関係する。これは、データベース２１のグローバルクリーンアップが実行され、潜在的に重要な方法でストレージが削減されることを意味する。
【００９０】
別の実装では、メディアアイテムは維持されるが、対象となるオブジェクト２３０に対応するそれらのコンテンツの一部を削除することによって修正される。とりわけ、オーディオレコーディングから特定の曲を、またはテキストファイルから特定のスローガンを、または写真から所与の人物または動物を、削除することができる。
【００９１】
本開示において、「除去」という用語は、「削除」よりも厳密な意味で使用されるメディアアイテムに適用され、そのメディアアイテムの一部を削除することを意味する。これに対して「削除」という用語は、メディアデータベースからメディアアイテムを取り除くこと、ならびにそのメディアアイテムの一部を除去することを包含するが、後者は、結果として生じる修正された形でメディアデータベース内に残る。
【００９２】
より厳密には、所与のオブジェクトをイメージから除去することは、当業者に知られたプロセスに依拠することができる。関係する技法は、たとえば、ボストンでの２０１５年コンピュータビジョンおよびパターン認識会議で発表されたＯ．Ｆｒｉｅｄ、Ｅ．Ｓｈｅｃｈｔｍａｎ、Ｄ．Ｇｏｌｄｍａｎ、およびＡ．Ｆｉｎｋｅｌｓｔｅｉｎによる「Ｆｉｎｄｉｎｇ  Ｄｉｓｔｒａｃｔｏｒｓ  Ｉｎ  Ｉｍａｇｅｓ」（http://gfx.cs.princeton.edu.pubs.Fried_2015_FDI/fried2015distractors.pdfでオンライン入手可能）、ならびに、第４２回コンピュータグラフィクスおよびインタラクティブテクニックに関する国際会議およびエキシビションで技術文書として提供された、Ｔ．Ｘｕｅ、Ｍ．Ｒｕｂｉｎｓｔｅｉｎ、Ｃ．Ｌｉｕ、およびＷ．Ｆｒｅｅｍａｎによる「Ａ  ｃｏｍｐｕｔａｔｉｏｎａｌ  Ａｐｐｒｏａｃｈ  ｆｏｒ  Ｏｂｓｔｒｕｃｔｉｏｎ−Ｆｒｅｅ  Ｐｈｏｔｏｇｒａｐｈｙ」（SIGGRAPH 2015、http://gfx.cs.princeton.edu.pubs.Fried_2015_FDI/fried2015distractors.pdfでオンライン入手可能）という論文に開示されている。
【００９３】
イメージ、ピクチャ、またはビデオの削除された部分は、その後、有利なことに、周囲のコンテンツを用いて修復されるか、あるいは、イメージの他の部分からまたはシーケンスの他のフレームからの情報を伝搬することによって充填され、代替として、それらの削除された部分は、たとえばシームカービングを使用するイメージのターゲット変更によって除去される。こうした方法は当業者に知られており、たとえばいくつかの関係する技術資料をさらに提供する、前述のＦｒｉｅｄ等およびＸｕｅ等による論文で説明されている。
【００９４】
興味深いことに、上記の削除方法は、通常、各イメージに関連付けられた情報量の削減により、メモリサイズにおけるゲインを統計的に提供する。
【００９５】
メディア削除実装は、任意の方法で組み合わせることができる。
【００９６】
いくつかの特定の実行モードによれば、
−  メディアの処理は、たとえば時限間隔でスケジューリングされる（特に、毎日、毎週などであり得る）、
−  関係が変化した時、特にしきい値を超えた時に処理ジョブが実行され、このモードは再生時のメディアエディションオーバヘッドを低減させることができる、
−  メディアデータベース２１にアクセスしている場合、処理ジョブはオンザフライで実行される。
【００９７】
本開示によれば、たとえオブジェクト２３０および関連付け２４０に専用のストレージが必要であっても、通常、メディアアイテム２１０に対するストレージの必要性が減少することによってもたらされるゲインの方が大幅に上回ることが予測されることに留意されたい。また、評価および削除は定期的に実行可能であるため、サイズ制御メカニズムを使用可能にすることができる。
【００９８】
特定の実装において、提案または実行される削除は、対象となるオブジェクト２３０を含むメディアアイテム２１０を超えて拡大される。その後、削除は、対象となるオブジェクトに密接に関係する１つまたは複数の他のオブジェクトに関連付けられたメディアアイテム２１０を包含する。実際には、ユーザ１と対象となるオブジェクトとの間の関係の悪化は、たとえば、特に人々であり得るオブジェクトが密接に関係しているため、ユーザ１と他のオブジェクトとの間の関係の同様の悪化を招くことにつながる。
【００９９】
別の実装において、メディアアイテム２１０から除去されるオブジェクト２３０は、ユーザ１のその他のオブジェクトとの関係状況の好適性と、場合によってはメディアコンテンツのコンテキストとに基づいて、別のオブジェクトに置き換えられる。そこで、関係するストレージゲインを提供することは困難な可能性があるが、そのソリューションは特定のケースで魅力的な限定的適用を有し得るため、メモリの必要性のグローバルな減少は依然として非常に重要である。たとえば、ユーザ１にとって耳障りになってきた曲を個人の動画内の好ましい曲に置き換えることが可能であり、ユーザ１にとって時代遅れに見えるスローガンが高評価なものに余地を残すことが可能であり、もしくは、個人の通信文書における価値の下がった背景表現を非常に好ましいものに変えることが可能である。
【０１００】
好ましくは、関係スコアなどの査定インジケータが好みのオブジェクトの識別にも使用される。
【０１０１】
有利なことに、関係状況が各オブジェクト２３０に対する関係スコアと共に活用され、関係状況はしきい値を超えると変更される。たとえば状況は、「正」から「負」へ、またはその逆に切り替えられる。
【０１０２】
他のモードにおいて、対象となるオブジェクト２３０に対応するピクチャまたはビデオの領域が、除去される代わりに画素化される。そのエディション動作は、そのようなゲインをメモリスペース内に提供しないが、削除前の有用な中間工程であり得、予測されるメディアエディション結果をそれらの達成前にユーザ１に気付かせることができる。このようにして、ユーザ１は、自動削除アクションを受け入れるか否かにおいて情報に基づいたより良い決定を行うことができる。
【０１０３】
別の有利なモードにおいて、１つのオブジェクト２３０についてメディアアイテム２１０に適用される削除動作は、特定の属性を有する特定の表現またはコンテキストにおいてのみトリガされる。たとえばそれらは、古いかまたは最近のメディア取り込みの所定の期間に対してのみ、あるいは、自動削除または変換について許可されたものとして特にタグ付けされたアップストリームのメディアアイテム２１０に対してのみ、適用される。
【０１０４】
変形態の実装において、エディション動作は所定のオブジェクトタイプまたはメディアタイプに依存している。たとえばオブジェクトは、人物、動物、場所、音楽などとしてカテゴリ化され、ピクチャは、会社グループのショット、他の人物との自撮りなどとしてカテゴリ化される。その後、それらのオブジェクトタイプおよび／またはメディアタイプの各々が特定の規則セットに関連付けられる。
【０１０５】
たとえば、以前に親しんだオブジェクトを自撮りの背景から除去できるが、他の種類のピクチャからは除去できない、あるいは、映画で曲を別の曲に置き換えることができるが、人物または場所は置き換えられない、あるいは、所与の人物が主役のビデオは削除できるが、写真はできない、あるいは、２つの明らかな関係状況を考慮してそれぞれのスコアしきい値に関連付け、所与の人物に対応するスコアが第１のしきい値よりも下の場合、ビデオが削除され、スコアが第１のしきい値よりも低い第２のしきい値よりも下の場合、写真が削除される。
【０１０６】
変形形態において、何人かのユーザのグループが単一のユーザ１の代わりと見なされる。そこで有利なことに、システム１０はユーザ識別子を活用し、以前に開発されたように各ユーザを別々に追跡する。
【０１０７】
別の実施形態において、データベース２１に記憶されたメディアアイテム２１０はあるユーザグループに属し、そのグループのすべてのユーザは、オブジェクト２３０に対するそれらの認識を評価するためにまとめて考慮される。したがって、メディアアイテム２１０のストレージ管理は、グループの統一見解を関係オブジェクト２３０に反映させる。
【０１０８】
変形形態において、グループのユーザは識別され、関係スコアまたは他の査定インジケータの計算の際に考慮される。このようにして、ユーザによる寄与は、それらの識別されたアクションの数のみに依存せず、それらの各々を完全に考慮の対象とすることができる。これは、ユーザ全体の単なる平均の形、またはグループのそれぞれのユーザに対応する重み付けされたパラメータの形を取ることができる。
【０１０９】
次に、システム１０の特定の実装例について説明する。これには、ローカル動作と比較した様々な程度のリモート動作が含まれる。
【０１１０】
図５に示された第１の例では、パーソナルデバイス５１はシステム１０の機能の一部を含み、ネットワーク５０を介してシステム１０の相補部分を備えるリモートデバイス５２と通信する。リモートデバイス５２は、データの記録または取り出しのために、メディアデータベース２１に記憶されたメディアアイテム２１０へのアクセス権をユーザ１に与える。
【０１１１】
たとえば、パーソナルデバイス５１は、スマートフォン、スマートウォッチ、ラップトップ、カメラ、タブレット、あるいは任意のポータブルメディアまたはオーディオプレーヤなどの、ウェアラブル装置である。別の例では、パーソナルデバイス５１は固定コンピュータまたは対話型ＴＶセットである。
【０１１２】
リモートデバイス５２は、有利には、ワイドエリアネットワーク（WAN）内の複数のパーソナルデバイス専用のサーバである。他の実装において、これは、たとえばローカルエリアネットワーク（LAN）あるいはパーソナルエリアネットワーク（PAN）で実装可能なゲートウェイに対応する。変形態の実装において、単一のリモートデバイスの代わりに、２つまたはそれ以上のリモートデバイスが合同でメディアストレージ管理に活用される。
【０１１３】
パーソナルデバイス５１およびリモートデバイス５２は、前述の機能を実行して前述の効果または結果を生み出すように設計、構成、および／または適合された、任意の物理的形式を取ることができる。いくつかの実装において、それらのいずれかが、同じ機械にグループ化されるか、または異なる、場合によってはリモートの機械における、装置のセットまたは装置の物理的部分として具体化される。
【０１１４】
また、説明した機能は、ハードウェア、ソフトウェア、ファームウェア、またはそれらの混合形式でも実装可能である。それらは好ましくは、パーソナルデバイス５１の少なくとも１つのプロセッサ内に具体化され、リモートデバイス５２の場合も同様である。
【０１１５】
プロセッサは、ここでは一般に、たとえばコンピュータ、マイクロプロセッサ、集積回路、またはプログラマブル論理デバイスを含む、処理デバイスを指す。加えて、これはプロセッサによって実行される命令によって実装可能であり、こうした命令（および／または、実装によって生成されるデータ値）は、たとえば集積回路、ソフトウェアキャリア、あるいは、たとえばハードディスク、ＣＤ、光ディスク、ＲＡＭ、またはＲＯＭなどの他のストレージデバイスなどの、プロセッサ読み取り可能媒体上に記憶することができる。命令は、プロセッサ読み取り可能媒体上に有形に具体化されたアプリケーションプログラムを形成することができる。プロセッサは、たとえば、プロセスを実施するように構成されたデバイスと、プロセスを実施するための命令を有するプロセッサ読み取り可能媒体（ストレージデバイスなど）を含むデバイスとの、両方として特徴付けることができる。さらに、プロセッサ読み取り可能媒体は、命令に加えて、またはその代わりに、実装によって生成されるデータ値を記憶することができる。
【０１１６】
ネットワーク５０は、有利にはＷＡＮまたはインターネットネットワークである。他の実装において、これはたとえば会社または家庭専用のネットワークなどのＬＡＮである。さらに他の実施形態において、ネットワーク５０はＰＡＮであり、ユーザ１は好ましくは、いくつかのローカルデータベース内に分散されたメディアアイテム２１０の大規模な集合にアクセスすることができる。
【０１１７】
パーソナルデバイス５１は、ワイヤレスおよび／またはワイヤードの通信モードを介してネットワーク５０に接続される。たとえばこれは、ＷｉＦｉ（ワイヤレスフィディリティを表す）、ＵＭＴＳ（ユニバーサルモバイルテレコミュニケーションシステムを表す）、ＬＴＥ（ロングタームエボリューションを表す）、ケーブル、または赤外線の通信を介して、ネットワークに接続される。
【０１１８】
より精密には、パーソナルデバイス５１は、ユーザ１との対話のためのユーザインターフェース５０２、ネットワーク通信のためのユニット５０３、および外部センサ１０３との通信のためのユニット５０１と協働する、ＣＰＵ（コンピュータ処理ユニット）などの１つまたは複数のプロセッサ５００を備える。外部センサ１０３は、システム１０について上記で説明したモニタ１０１および検出器１０２の部分に対応する。たとえば、通信ユニット５０１および５０３はワイヤレス通信用に活用され、それらの各々が符号化／復号部分、モデム、およびアンテナを含む。
【０１１９】
パーソナルデバイス５１は、関係マネージャモジュール１２および査定評価者モジュール１３に割り当てられた機能を担当する関係ユニット５１２と、エディションマネージャモジュール１４に対応するエディションユニット５１４と、オブジェクト評価モジュール１５に対応するオブジェクト評価ユニット５１５とを、さらに備える。ユニット５１２、５１４、および５１５はプロセッサ５００の一部とすることができるが、プロセッサ５００によって実行されることになる命令のセットの記憶専用のＲＯＭなどのメモリユニットでもあり得ることを理解されよう。
【０１２０】
また、プロセッサ５００は、ストレージマネージャモジュール１１の機能をカバーしている。加えて、メディアデータベース２１と比べると、オブジェクトデータベース２３および関連付けデータベース２４はユーザ１が、特にメディア管理データベース２２を含む１つまたは複数の相補データベース２５と共に、ローカルに使用可能である。
【０１２１】
リモートデバイス５２は、特に、１つまたは複数のプロセッサを含む、メディアエディタモジュール１６に対応し、さらに複数の表示されていない部分に対応する、メディアエディタユニット５２６を備える。メディアエディタユニット５２６は、それ自体がこうしたプロセッサの一部であることが可能である。
【０１２２】
全体として、図５の例を用いると、リモートデバイス５２は特に通常のメディアサーバであり得るが、パーソナルデバイス５１には特定の機能が実装されている。この点で、個人レベルでのメモリ管理の改善が達成され、それに応じてグローバルレベルへと移されている。
【０１２３】
特に、何人かのユーザが同様のシステムを活用している場合、集約的なメディア管理において累積されたストレージゲインはかなりの量であり得る。これは、本例では、オブジェクト２３０および関連付け２４０に関するデータベースがユーザ側で維持されるため、なおさらである。
【０１２４】
図６に見られる特定の装置６がパーソナルデバイス５０１を具体化している。これはたとえば、パーソナルコンピュータ（ＰＣ）、ラップトップ、タブレット、またはスマートフォンに対応する。これは、クロック信号も移送するアドレスおよびデータのバス６５によって互いに接続された、以下の要素を備える。すなわち、
−  マイクロプロセッサ６１（またはＣＰＵ）、
−  メディアアイテムを管理するためのプログラムを備える、ＲＯＭタイプの不揮発性メモリ６６、
−  ＲＡＭ  ６７、
−  たとえばキーボード、マウス、ジョイスティック、ウェブカメラなどの、１つまたはいくつかのＩ／Ｏ（入力／出力）デバイス６４（たとえば音声認識などのコマンドを導入するための他のモードも可能である）、
−  電源６８、および、
−  無線周波、セルネットワーク、またはケーブル通信ユニットなどの、ネットワークユニット６９である。
【０１２５】
変形態によれば、電源６８は装置６の外部にある。
【０１２６】
メモリ６６および６７の説明で使用される「レジスタ」という用語は、低容量（数バイナリデータ）ならびに大容量（全プログラム、あるいは計算済みまたは表示されることになるデータを代表する情報のすべてまたは一部を記憶できるようにする）をカバーすることが可能な、それらのメモリの各々における任意のサイズのメモリゾーンを指すことに留意されたい。
【０１２７】
スイッチがオンになると、マイクロプロセッサ６１は、ＲＯＭ  ６６のレジスタ６６０に含まれるプログラムの命令をロードおよび実行する。
【０１２８】
ランダムアクセスメモリ６７は、特に、以下を含む。すなわち、
−  レジスタ６７１内の、メディアデータベース２１に含まれるメディアアイテム２１０を指すポインタ、
−  レジスタ６７２内の、オブジェクト２３０に関するデータ、
−  レジスタ６７３内の、関連付け２４０に関するデータ、
−  レジスタ６７４内の、アクティビティ署名、
−  レジスタ６７５内の、関係スコア、
−  レジスタ６７６内の、関係しきい値、および、
−  レジスタ６７７内の、エディションアクションに関連する規則である。
【０１２９】
変形態によれば、メディアアイテムを管理するためのプログラムはＲＡＭ６７に記憶される。これによって、特に関連する機能が元々は装置６に組み込まれていない場合、高い柔軟性が可能になる。
【０１３０】
図７に表された第２の例では、パーソナルデバイス７１はシステム１０の機能の一部を含み、ネットワーク７０を介してシステム１０の相補部分を備えるリモートデバイス７２と通信する。リモートデバイス７２は、それぞれメディアデータベース２１、オブジェクトデータベース２３、および関連付けデータベース２４に記憶された、メディアアイテム２１０、オブジェクト２３０、および関連付け２４０へのアクセス権をユーザ１に与える。変形態の実装において、単一のリモートデバイスの代わりに、２つまたはそれ以上のデバイスが合同で活用される。
【０１３１】
図５の第１の例と同様に、パーソナルデバイス７１は、ユーザ１との対話のためのユーザインターフェース７０２、ネットワーク通信のためのユニット７０３、外部センサ１０３との通信のためのユニット７０１、関係ユニット７１２、およびエディションユニット７１４と協働する、１つまたは複数のプロセッサ７００を備え、１つまたは複数のローカルデータベース２５への直接アクセス権を有する。こうした特徴は第１の例について上記で説明したものと同様であるため、これ以上は展開しない。
【０１３２】
また、リモートデバイス７２は、図５のエディタユニット５２６と同様に、メディアエディタユニット７２６を含む。しかしながら以前に説明した例と比べると、リモートデバイス７２は、エディションマネージャモジュール１４に対応するエディション管理ユニット７２４、およびオブジェクト評価モジュール１５に対応するオブジェクト認識ユニット７２５をさらに含む。
【０１３３】
第１の例と同様に、ユニットは（パーソナルデバイス７１またはリモートデバイス７２のいずれにある場合でも）特に、１つまたは複数のプロセッサの一部であるか、あるいは、プロセッサによって実行されることになる命令のセットの記憶専用の、たとえばＲＯＭなどのメモリユニットであり得る。
【０１３４】
より精密には、エディション管理機能はパーソナルデバイス７１（エディションユニット７１４を伴う）とリモートデバイス７２（エディション管理ユニット７２４を伴う）との間で共有され、それらの各々が、以下で説明するようにメディアデータのエディションでアクティブな役割を果たすことができる。
【０１３５】
リモートデバイス７２は、メディアデータベース２１、オブジェクトデータベース２３、および関連付けデータベース２４への管理アクセス権を有するため、ユーザ１は、メディアアイテム２１０を記憶、アクセス、および処理するためにネットワーク７０を介してリモートデバイス７２に対処する必要がある。そのリモートデバイス７２は、特に、オブジェクト２３０と、メディアアイテム２１０とオブジェクト２３０との間の関連付け２４０とを、生成および処理することを担当している。したがってそれらの態様は、ユーザ１に対して基本的に透過的である。
【０１３６】
パーソナルデバイス７１およびリモートデバイス７２は、メディアアイテム２１０を介してユーザ１に制御の役割を委ねるように適合される。すなわち、ユーザの情報および同意なしに、ユーザ１の個人的なメディアアイテム２１０を追加、修正、または削除することはできない。また、生成されるオブジェクト２３０に関する情報は、ユーザ１と対象となるオブジェクト２３０との間の関係を、特に監視に関して効率的に考慮するために、リモートデバイス７２からパーソナルデバイス７１に送られる。
【０１３７】
異なる実施形態において、リモートデバイス７２には、ユーザの承認なしにいくつかのメディアアイテム２１０を完全にまたは部分的に削除する権限がある。これにより、ユーザのパーソナルデータを介して彼らを把握する力は低下するが、集約的なメディア管理についての柔軟性をより多くサーバに委ねることができる。こうしたソリューションは、たとえば、個人的なピクチャおよびビデオのストレージ管理を共有すること、および、関連付けられたオブジェクトに対する個人的関心の低下が自動的に識別された場合、結果としてある程度の個人的損失を被ることに同意している人々のグループにおいて、ある程度の魅力がある。
【０１３８】
別の異なる実施形態において、関係マネージャモジュール１２に対応する関係管理は、それ自体がリモートデバイス７２に移転される。その場合、パーソナルデバイス７１は、関係イベントに関する情報を分析のためにリモートデバイス７２に送信するように構成される。こうしたイベントは、たとえば電子メールの交換または環境に関する情報の監視である。したがってリモートデバイス７２は、こうしたイベントに関する情報を上記で詳細に説明したように処理するために構成される。その実施形態は、ネットワーク帯域幅およびリモートデバイス７２における処理容量をさらに必要とするが、大量のパーソナルメディアデータを管理する際に、サーバまたは任意の中央管理システムに高度な柔軟性を与えることができる。
【０１３９】
図８に表された第３の例では、パーソナルデバイス８１がシステム１０の機能の大部分を含み、外部ネットワークにアクセスする必要なしに、上記で説明したプロセスの工程を実行するために構成される。
【０１４０】
図５の第１の例と同様に、パーソナルデバイス８１は、ユーザ１との対話のためのユーザインターフェース８０２、ネットワーク通信のためのユニット８０３、外部センサ１０３との通信のためのユニット８０１、関係ユニット８１２、エディションユニット８１４、およびオブジェクト評価ユニット８１５と協働する、１つまたは複数のプロセッサ８００を備え、オブジェクトデータベース２３、関連付けデータベース２４、ならびに１つまたは複数の相補ローカルデータベース２５への直接アクセス権を有する。こうした特徴は図５の第１の例について上記で説明したものと同様であるため、これ以上は展開しない。
【０１４１】
加えて、パーソナルデバイス８１は、メディアエディタモジュール１６に対応するメディアエディタユニット８１６を備え、これによってメディアデータベース２１にローカルにアクセスすることができる。
【０１４２】
この実施形態において、ユーザ１はすべての動作の完全なローカル制御を有し、パーソナルメディア収集を効率的に管理することができる。
【０１４３】
変形態の実装において、関係ユニット８１２、エディションユニット８１４、およびオブジェクト評価ユニット８１５は、ユーザのパーソナルメディアデータベース２１を維持し、定期的に更新するように、時間の経過につれて自動動作を進行させるために構成される。そこで、実施形態に応じて、任意のプランニングされたメディア編集を、検証のためにパーソナルデバイス８１によって任意選択によりユーザ１にサブミットすることができる。
【０１４４】
以上、いくつかの実装について説明してきた。ただし、様々な修正が実行可能であることを理解されよう。たとえば、他の実装を生成するために、異なる実装の要素を組み合わせる、補足する、修正する、または除去することができる。加えて、当業者であれば、開示された構造およびプロセスを他の構造およびプロセスに置き換えることが可能であり、結果として生じる実装は、開示された実装と少なくともほぼ同じ結果を達成するために、少なくともほぼ同じ機能を少なくともほぼ同じように実行することを理解されよう。したがって、これらおよび他の実装が本出願によって企図される。
【図１】
2017151957.tif 000003
【図２】
2017151957.tif 000004
【図３】
2017151957.tif 000005
【図４】
2017151957.tif 000006
【図５】
2017151957.tif 000007
【図６】
2017151957.tif 000008
【図７】
2017151957.tif 000009
【図８】
2017151957.tif 000010
【外国語明細書】
2017151957000001.pdf